(57)【要約】【課題】恒久的な防鼠効果を有し、かつ、軽量な防鼠ケーブルを提供する。【解決手段】所定数の絶縁線心を有する撚合せ線心１と、撚合せ線心１の外周に形成された内部被覆樹脂層２と、内部被覆樹脂層２の外周に形成されたＰＥＥＫ樹脂層３を備えた防鼠ケーブル１０であって、ＰＥＥＫ樹脂層３は、曲げ弾性率２０００ＭＰａ以上６０００ＭＰａ以下の特性を有し、硬さがＡＳＴＭ  Ｄ−７８５，Ｍスケールで９０以上の特性を有し、摩擦係数０．４以下０．０８以上の特性を有するものである。【選択図】図１
2012054046.tif 000002
【特許請求の範囲】
【請求項１】
所定数の絶縁線心を有する撚合せ線心と、前記撚合せ線心の外周に形成された内部被覆樹脂層と、前記内部被覆樹脂層の外周に形成されたＰＥＥＫ樹脂層を備えた防鼠ケーブルであって、前記ＰＥＥＫ樹脂層は、曲げ弾性率２０００ＭＰａ以上６０００ＭＰａ以下の特性を有し、硬さがＡＳＴＭ  Ｄ−７８５，Ｍスケールで９０以上の特性を有し、摩擦係数０．４以下０．０８以上の特性を有することを特徴とする防鼠ケーブル。
【請求項２】
前記ＰＥＥＫ樹脂層の厚さは０．５ｍｍ以上１．５ｍｍ以下である請求項１記載の防鼠ケーブル。
【発明の詳細な説明】
【技術分野】
【０００１】
本発明は、鼠の喫食行動によるケーブル構造の損傷を止めることができる防鼠ケーブルに関し、特に、恒久的な防鼠効果を有する防鼠ケーブルに関する。
【背景技術】
【０００２】
従来の防鼠ケーブルとして、例えば特許文献１に開示されているものがある。この防鼠ケーブルは、所定数の絶縁線心を有する撚合せ線心上に金属製の保護層が設けられて構成されるものである。この金属製の保護層は、波付け加工が施されたステンレステープからなり、この波付けステンレステープの外部には外部被覆層が設けられる。
【０００３】
この防鼠ケーブルによると、鼠の喫食行動にケーブルが晒されると、鼠の歯が外部被覆層の下にある波付けステンレステープに接触するため、それ以上のかじりによるケーブル構造の損傷を止めることができる。これによって防鼠効果が得られる。
【０００４】
また、他の防鼠ケーブルとしては、特許文献２に開示されているものがある。この防鼠ケーブルは、防鼠対策としてシース内に鼠忌避効果を発揮するカプサイシンやシクロヘキシミドなどの鼠忌避剤を含有した構成を特徴とする。これら鼠忌避剤によって、鼠の喫食行動を防止する効果が得られる。
【先行技術文献】
【特許文献】
【０００５】
【特許文献１】特開平５−７４２３０号公報
【特許文献２】特開２００５−４４６５２号公報
【特許文献３】特開平１０−２８３８４９号公報
【発明の概要】
【発明が解決しようとする課題】
【０００６】
しかし、特許文献１に開示された従来の防鼠ケーブルによると、金属製の保護層を設けるため、ケーブル重量が大になり、敷設時の作業性が悪くなるという問題があった。また、特許文献２に開示された防鼠ケーブルでは、鼠忌避剤（忌避性薬剤）の防鼠効果は恒久的でないので、いつしか鼠によって損傷を受けることになり、配線後（架設後）の長期信頼性が不十分であるという問題があった。
【０００７】
そこで、本発明の目的は、上記課題を解決し、恒久的な防鼠効果を有し、かつ、軽量な防鼠ケーブルを提供することにある。
【課題を解決するための手段】
【０００８】
上記課題を解決するために本発明は、所定数の絶縁線心を有する撚合せ線心と、前記撚合せ線心の外周に形成された内部被覆樹脂層と、前記内部被覆樹脂層の外周に形成されたＰＥＥＫ樹脂層を備えた防鼠ケーブルであって、前記ＰＥＥＫ樹脂層は、曲げ弾性率２０００ＭＰａ以上６０００ＭＰａ以下の特性を有し、硬さがＡＳＴＭ  Ｄ−７８５，Ｍスケールで９０以上の特性を有し、摩擦係数０．４以下０．０８以上の特性を有する防鼠ケーブルである。
【０００９】
前記ＰＥＥＫ樹脂層の厚さは０．５ｍｍ以上１．５ｍｍ以下であるとよい。
【発明の効果】
【００１０】
本発明によれば、恒久的な防鼠効果を有し、かつ、軽量な防鼠ケーブルを提供できる。
【図面の簡単な説明】
【００１１】
【図１】本発明の実施の形態に係る防鼠ケーブルを示す断面図である。
【発明を実施するための形態】
【００１２】
以下、本発明の実施の形態を添付図面に基づいて説明する。
【００１３】
図１は、本発明の実施の形態に係る防鼠ケーブルを示す断面図である。図１に示すように、防鼠ケーブル１０は、所定数の絶縁線心を有する撚合せ線心１と、撚合せ線心１の外周に形成された内部被覆樹脂層２と、内部被覆樹脂層２の外周に形成されたＰＥＥＫ（ポリエーテルエーテルケトン）樹脂層３を備えてなる。
【００１４】
撚合せ線心１を構成する絶縁線心は、例えば、導体である軟銅線上に絶縁体としてポリエチレンを被覆してなる。
【００１５】
内部被覆樹脂層２としては、種々の樹脂を用いることができる。内部被覆樹脂層２は、撚合せ線心１の外周に押出加工により形成される。
【００１６】
ＰＥＥＫ樹脂層３は、内部被覆樹脂層２の外周に押出加工により形成される。ＰＥＥＫ樹脂層３に用いられるＰＥＥＫ樹脂は、機械特性に優れており、さらに、改質しない状態でもＵＬ９４０Ｖ−０の優れた難燃性を有する。また、ＰＥＥＫ樹脂は、押出加工性を有するので、生産性の妨げにならず、コストダウンを図ることができる。なお、ＰＥＥＫ樹脂層３の外周に外部被覆層を設けてもよい。
【００１７】
ＰＥＥＫ樹脂層３は、曲げ弾性率が２０００ＭＰａ以上６０００ＭＰａ以下、硬さはＡＳＴＭ  Ｄ−７８５，Ｍスケールで９０以上（ステンレス鋼ＳＵＳ３０４以上）、摩擦係数０．４以下０．０８以上である。
【００１８】
ＰＥＥＫ樹脂層３の曲げ弾性率を２０００ＭＰａ以上６０００ＭＰａ以下としたのは、可撓性を確保するためである。曲げ弾性率はＡＳＴＭ  Ｄ−７９０に準拠した測定方法で実施することが望ましい。
【００１９】
ＰＥＥＫ樹脂層３の硬さをＡＳＴＭ  Ｄ−７８５，Ｍスケールで９０以上としたのは、鼠の歯が立たない程度の硬さが必要なためである。硬さはＡＳＴＭ  Ｄ−７８５に準拠した測定方法で実施することが望ましい。
【００２０】
ＰＥＥＫ樹脂層３の摩擦係数を０．４以下としたのは、鼠の門歯を引っ掛かりにくくするためである。摩擦係数はＡＳＴＭ  Ｄ−１８９４に準拠した測定方法で実施することが望ましい。
【００２１】
すなわち、ＰＥＥＫ樹脂層３の曲げ弾性率、硬さ、摩擦係数の数値を限定したのは、鼠の喫食行動に対して有効性が認められるためである。
【００２２】
また、ＰＥＥＫ樹脂層３の厚さは、０．５ｍｍ以上１．５ｍｍ以下であることが好ましい。ＰＥＥＫ樹脂層３の厚さが０．５ｍｍ未満では鼠の喫食行動に耐えられず、防鼠効果が認められなくなり、１．５ｍｍを超えると、ＰＥＥＫ樹脂が高い剛性を有するので、ケーブルの可撓性が低くなると共にコストアップに繋がるからである。
【００２３】
以上説明した防鼠ケーブル１０において、内部被覆層２の外周に、曲げ弾性率が２０００ＭＰａ以上６０００ＭＰａ以下、硬さがＡＳＴＭ  Ｄ−７８５，Ｍスケールで９０以上、摩擦係数が０．４以下０．０８以上の特性を有するＰＥＥＫ樹脂層３を設けたことにより、鼠の喫食行動に基づいてＰＥＥＫ樹脂層３に鼠の歯がぶつかっても、ＰＥＥＫ樹脂層３に歯が立たず、喫食を避けることができる。その結果、ケーブル全体が鼠から保護される。ＰＥＥＫ樹脂層３は高い耐老化性を有するので、金属製の保護層と同等の恒久的な防鼠効果が得られる。また、本発明の防鼠ケーブル１０によれば、金属製の保護層を用いたときよりも良好な可撓性が得られ、軽量化とコストダウンが図れる。
【００２４】
なお、従来技術として、金属製の保護層の替わりに耐摩耗性に優れるＰＯＭ（ポリアセタール）樹脂を用いた防鼠ケーブルの例がある（特許文献３）。しかし、ＰＯＭは自己消炎性のない難燃性の低い樹脂（ＵＬ９４Ｈ−Ｂ）である。本発明の防鼠ケーブル１０では、自己消炎性を有するＰＥＥＫ樹脂を使用しているので、優れた難燃性を有する。
【００２５】
なお、本実施の形態にあっては、ケーブル最外層をＰＥＥＫ樹脂層３で形成したが、ＰＥＥＫ樹脂層３以外の部分について鼠の喫食行動を防止するという本発明の要旨を逸脱しない範囲で、種々変更を加えられることは勿論である。
【符号の説明】
【００２６】
１  撚合せ線心
２  内部被覆樹脂層
３  ＰＥＥＫ樹脂層
１０  防鼠ケーブル
【図１】
2012054046.tif 000003